(57)【要約】【課題】  ガスライター使用後に都合で炎が消えないことがあり、ライターのキャップに消火部材を設けているが、消火部材の蓋部材が十分開口することが出来ず、炎で熱せられて火傷を負う虞がある。【解決手段】  操作ボタン７の上部に作動竿８１の一端を固定して他端を自由端とし、その一方側に第１ピニオンギア８２を設け、該第１ピニオンギア８２に歯合するラック８３と、該ラック８３の他方側で歯合する第２ピニオンギア８５が設けられた消火部材８４を回動自在にキャップ４２に軸支させる。消火部材８４にはキャップ４２の火口を塞ぐ蓋部材８８が設けられる。操作ボタン７を押し下げると、作動竿８１が下がり第１ピニオンギア８２と歯合するラック８３を回転させ、これに伴い第２ピニオンギアも回転して消火部材８４を反時計方向に回転させて、蓋部材８８が火口４３から離れてガス通路を開口する。【選択図】  図３
0003121528.tif 000002
【実用新案登録請求の範囲】
【請求項１】
燃料ガスを貯蔵したライター本体と、
前記ライター本体の燃料ガス通路を弁機構を介して噴出ノズルに供給する燃料供給手段と、
前記燃料供給手段における弁機構を開閉作動する作動レバーと、
前記噴出ノズルから噴出する燃料ガスに点火する点火手段と、
押し下げ操作により前記作動レバーを操作すると共に点火手段による点火動作を行う押し下げ手段とを備え、
前記押し下げ手段の上部に一端が固定され他端が回動部材に接続された作動竿と、前記回動部材に接続されキャップの火口を開閉する蓋部材が設けられた消火部材とが、押し下げ操作により作動竿が下がるにつれ回動部材が回動し、消火部材の蓋部をキャップの火口から離してガス通路を開口したことを特徴とするガスライター。
【請求項２】
前記回動部材はラックであり、作動竿と消火部材の各々にピニオンギアが設けられていることを特徴とする請求項１記載のガスライター。
【請求項３】
前記回動部材は両端に突起が設けられた棒状であり、各々の突起が作動竿と消火部材に個別に連結されたことを特徴とする請求項１記載のガスライター。
【請求項４】
前記回動部材の回動による消火部材の蓋部は、キャップの火口から反時計方向に移動することを特徴とする請求項１記載のガスライター。
【考案の詳細な説明】
【技術分野】
【０００１】
本考案は煙草などの着火に用いられるガスライターに関し、特に使用した後、都合によって燃料ガスが漏れたとしても完全に消火するような機構を有するライターに関する。
【背景技術】
【０００２】
ガスライターとして良く用いられる放電点火式ライターは、操作ボタンを介して圧電ユニットを押し下げることにより、レバー機構を介して噴出ノズルを引き上げて弁機構を開いてガス通路を開放し、噴出ノズルから噴出した燃料ガスに圧電ユニットで発生した高電圧パルスを放電して着火するようにしている。
【０００３】
着火終了後には、弁機構が最初の状態に戻ってガス通路を閉塞し火が消えるようになるが、例えば砂粒や小さなごみがレバー機構あるいは噴出ノズルの隙間に入り込み、各々の作動を妨害し、噴出ノズルから少量の燃料ガスが漏出して火が消えないという可能性がある。
【０００４】
そこで、この対策として操作ボタンと連動して着火時に火口を開口し、終了時に火口を塞ぐような蓋を設けたものが知られている。
【特許文献１】特開昭５３−８３８７２号公報
【特許文献２】特開昭２００３−２４０２３５号公報
【考案の開示】
【考案が解決しようとする課題】
【０００５】
特許文献１に記載のガスライターにおいては、一般的な構成のライターにあって火口が開口されたキャップの上面に、開口を塞ぐことが可能な大きさの指掛部を有する蓋体を設け、ライターを使用する際に、指掛部に触れて蓋体を時計方向に回転させて火口を開けながら操作ボタンを押し込むようにして着火する。使用後は操作ボタンの指を離すことで蓋体が閉まり、火を完全に消すことが出来る。
【０００６】
しかしこのライターの蓋体は、キャップの火口を十分に開口することが出来ずに炎で熱せられて、操作する指に伝わり火傷を引き起こす虞がある。
【０００７】
特許文献２に記載のガスライターにおいても、操作ボタンと連動して火口が開口されたキャップの開口を塞ぐことが可能な大きさの蓋体を設け、ライターを使用する際に操作ボタンを押し込むことで、蓋体を時計方向に回転させて火口を開けながら着火する。使用後は操作ボタンの指を離すことで蓋体が閉まり、火を完全に消すことが出来る。
【０００８】
しかしこのライターの蓋体は、キャップの火口で生じる炎で熱せられて、操作する指に伝わり火傷を引き起こす虞がある。また、垂直に近い蓋体によって風を火口に呼び込みやすく、炎が消えやすくなる事がある。
【課題を解決するための手段】
【０００９】
燃料ガスを貯蔵したライター本体と、
前記ライター本体の燃料ガス通路を弁機構を介して噴出ノズルに供給する燃料供給手段と、
前記燃料供給手段における弁機構を開閉作動する作動レバーと、
前記噴出ノズルから噴出する燃料ガスに点火する点火手段と、
押し下げ操作により前記作動レバーを操作すると共に点火手段による点火動作を行う押し下げ手段とを備え、
前記押し下げ手段の上部に一端が固定され他端が回動部材に接続された作動竿と、前記回動部材に接続されキャップの火口を開閉する蓋部が設けられた消火部材とが、押し下げ操作により作動竿が下がるにつれ回動部材が回動し、消火部材の蓋部材をキャップの火口から離してガス通路を開口するようにした。
【考案の効果】
【００１０】
本ガスライターの蓋部材は、押し下げ操作する指から離れたキャップの先端側に向かって開いていくので、キャップの火口で生じる炎で熱せられたとしても、操作する指に伝わり火傷を引き起こす事はない。
【００１１】
キャップの先端側で開いた蓋部材が壁となって、キャップ火口で発生した炎の風防となり、炎が消えにくくなる。
【考案を実施するための最良の形態】
【００１２】
＜第１の実施形態＞
ガスライター１は、燃料ガスが貯蔵されたライター本体２と、このライター本体２からのガス通路を開閉し燃料ガスの供給を開閉する弁機構３と、この弁機構３に連通してガスを噴出する噴出ノズル４と、この噴出ノズル４を引き上げて弁機構３の開閉作動を行うガスレバー５と、噴出ノズル４から放出されるガスを着火させる圧電ユニット６及び前記ガスレバー５を作動して着火を行う操作ボタン７と、火口孔４３を有するキャップ４２と、残り火消火機構８とを備えている。
【００１３】
ライター本体２は、合成樹脂で成形された有底筒状のタンク本体２１の上面に上蓋２２が気密に固定され、その内部にブタンガスなどの燃料ガスが貯蔵されるタンク部分が構成されると共に、その上部に中間ケース２３が嵌着されてなる。
【００１４】
ライター本体２の上蓋２２には、貯蔵された燃料ガスの噴出量を制御する公知の弁機構３が配設され、弁機構３の中心にパイプ状の噴出ノズル４が軸方向に移動可能に配設され、先端が中間ケース２３より上部に突出している。噴出ノズル４の先端部にはノズルチップ４１が装着され、放電点火による着火性を高めるために、噴出されるガスの一部を外周部に拡散させて空気の混合性を高めている。
【００１５】
点火機構は、圧電ユニット６に結線された放電電極61が操作ボタン７の上部に配設され、圧電ユニット６の作動に伴って発生される高電圧が、放電電極61と噴出ノズル４との間に印加されて放電が行われる。
【００１６】
操作ボタン７の押し下げ操作に伴って、圧電ユニット６の上半分が下降移動するが、圧電ユニット６の移動部分に、ガスレバー５の脚部に当接してガスレバー５を回動させるレバー押し51が設置されている。
【００１７】
図２に示す残り火消火機構８を説明する。残り火消火機構８は、操作ボタン７に一端が固定された作動竿８１と、中間ケースに固定されたラック８３と、第２ピニオンギア８５が設けられた消火部材８４とから成る。
【００１８】
作動竿８１は合成樹脂で一方側に第１ピニオンギア８２が設けられ他方は直線上に棒状に形成され、操作ボタンの両側に一端が溶着や螺子により固定され他端が中間ケース２３側で自由となっている。
【００１９】
消火部材８４は図４に示すように耐熱性樹脂または金属で形成され、外周に第２ピニオンギア８５が設けられた４半円をした伝達部材８６と、伝達部材８６からキャップ４２の高さほどに延びた連結竿８７と、連結竿８７に取り付けられキャップ４２の火口を塞ぐ大きさの蓋部材８８とで成り、連結竿８７の下側にキャップ４２に取り付ける孔８９が穿設され、消火部材８４はキャップ４２下端の孔８９で軸支されて回動可能となる。
【００２０】
ラック８３は中間ケース２３の両側で軸支され、ライターを使用しない状態の時は作動竿８１の第１ピニオンギア８２の下端部と歯合している。また消火部材８４の第２ピニオンギア８５とは上端部と歯合している。
【００２１】
以上の構成から成るライター１の作用につき説明する。ライター１を作動させない非操作時には、操作ボタン７は図示しない圧電ユニット６内のスプリングの弾発力により上端に押し上げられ、作動竿８１も最上位置にあって第１ピニオンギア８２の下端部でラック８３と噛み合う。一方、消火部材８４の第２ピニオンギア８５とは上端部と歯合しているから、蓋部材８８はキャップ４２の火口４３を塞ぐ位置に押される。
【００２２】
次にライター１を作動させるときには、スプリングの力に抗して操作ボタン７を押し下げると、圧電ユニット６が押し下げられレバー押し51がガスレバー５を揺動させることにより、テコの作用で噴出ノズル４が引き上げられ、弁機構３が開放されてガスが噴出ノズル４から噴出され、その直後に圧電ユニット６による放電が行われてガスに着火する。上記操作ボタン７の押し下げと同時に操作ボタン７に固定した作動竿８１と第１ピニオンギア８２も押し下げられる。第１ピニオンギア８２の下がることでラック８３が時計方向に回転し、それにつれて消火部材８４の第２ピニオンギア８５が反時計方向に動き出すと、軸支された孔８９を中心に連結竿８７がキャップ４２から離れるように回動して、蓋部材８８がキャップ４２の火口４３から離れて火口４３を開き、炎が出る。
【００２３】
着火操作が終了し、消火するべく操作ボタン７から指を離すと、噴出ノズル４は弁機構３のスプリングによって没入方向に移動し、これに応じてガスレバー５も水平状態に揺動する一方、操作ボタン７は圧電ユニット６に内蔵のスプリングによって上昇移動し、操作ボタン７に固定した作動竿８１の第１ピニオンギア８２も上昇して噛み合っているラック８３を反時計方向に回転させる。すると伝達部材８６が孔８９を中心に時計方向に回転し、連結竿８７がキャップ４２に向かうように回動して、蓋部材８８がキャップ４２の上面に当接して噴出口を塞ぐ初期状態に戻る。
【００２４】
＜第２の実施形態＞  図５及び図６に本実施形態のガスライターを示す。残り火消火機構以外のキャップ４２、操作ボタン７などは第１の実施の形態と同様に設けられ、同一部分には同一符号を付してその説明を省略する。
【００２５】
残り火消火機構９は、操作ボタン7に一端が固定された作動竿９１と、中間ケース２３に軸支された伝達部材９２と、キャップ４２に軸支された消火部材９４とから成る。作動竿９１は合成樹脂で形成され一端は操作キャップ７の上部に固定され、他端は自由端でその端部に軸受け部が形成されている。
【００２６】
伝達部材９２は、くの字をした合成樹脂で成形されており、両端近傍に突起９２ａ、９２ｂが突設され、中央で中間ケース２３に軸支された軸受け９３により揺動自在となっている。
【００２７】
消火部材９４は耐熱性樹脂または金属で形成され、伝達部材９２の突起９２ｂが摺動自在に挿入されるよう画設された溝部９５と、伝達部材９２からキャップ４２の高さほどに延びた連結竿９６と、連結竿９６にとりつけられたキャップ４２の火口４３を塞ぐ大きさの蓋部材９７とで成り、連結竿９６の下側にキャップ４２に取り付ける孔９８が穿設され、消火部材９４は孔９８で軸支されて回動可能となる。
【００２８】
ライターを作動させない非操作時には、操作ボタン7は図示しない圧電ユニット６内のスプリングの弾発力により上端に押し上げられ、作動竿９１下端の軸受け部が最上部に来て伝達部材９２の突起９２ａを持ち上げることで、消火部材９４をキャップ４２に近づけ火口４３を蓋部９７で塞いでいる。
【００２９】
ライターを作動させるために、スプリングの力に抗して操作ボタン７を押し下げると、圧電ユニット６が押し下げられレバー押し51がガスレバー５を揺動させることにより、テコの作用で噴出ノズル４が引き上げられて弁機構３が開放され、ガスが噴出ノズル４から噴出され、その直後に圧電ユニット６による放電が行われてガスに着火する。上記操作ボタン7の押し下げと同時に作動竿９１も下がり始め、伝達部材９２の突起９２ａを下側に連動させ、軸受け９３を中心に時計方向に回動する。すると他方の突起９２ｂは溝部９５内を作動竿９１側に移動しながら消火部材９４を反時計方向に回動し、蓋部材９７を火口４３から離して噴出口のガス流路を開けてガス噴出の妨げにならない。
【図面の簡単な説明】
【００３０】
【図１】本発明に掛かるライターの断面図
【図２】第１の実施態様における正面図
【図３】作動状況を示す正面図
【図４】消火部材の斜視図
【図５】第２の実施態様における正面図
【図６】作動状況を示す正面図
【符号の説明】
【００３１】
１            ガスライター
２            ライター本体
４            噴出ノズル
７            操作ボタン
４２          キャップ
８，９        残り火消火機構
８１，９１    作動竿
８６，９２    伝達部材
８７．９６    連結竿
８８，９７    蓋部材
８２          第１ピニオンギア
８３          ラック
８５          第２ピニオンギア
９５          横溝
【図１】
0003121528.tif 000003
【図２】
0003121528.tif 000004
【図３】
0003121528.tif 000005
【図４】
0003121528.tif 000006
【図５】
0003121528.tif 000007
【図６】
0003121528.tif 000008